(57)【要約】【課題】第１および第２の回路（コンバータ）が併設されてなる定電圧電源装置において、従来のような出力低下が起こらず正常に稼動する装置を提供する。【解決手段】第１および第２の回路の出力信号比較選択回路Ｃａ１、Ｃａ２とパワー出力回路ＰＷＭａ、ＰＷＭｂとの間に第２の出力信号比較選択回路Ｃａ２、Ｃｂ２を介設する。両回路の出力信号比較選択回路Ｃａ１、Ｃｂ１の出力信号Ｐａ１、Ｐｂ１を第２の出力信号比較選択回路Ｃａ２、Ｃｂ２に入力し、両回路の第２の出力信号比較選択信号回路Ｃａ２、Ｃｂ２において出力信号Ｐａ１、Ｐｂ１のうちのいずれか小さい方の出力信号を選択して出力信号Ｐａ２、Ｐｂ２をパワー出力回路ＰＷＭａ、ＰＷＭｂに入力し、出力Ｉａ・Ｖａ、Ｉｂ・Ｖｂを適正に調整する。【選択図】図１
2019146336.tif 000002
【特許請求の範囲】
【請求項１】
電流設定値と電流出力計測値とを入力に受けて両入力を比較算出する電流比較出力信号回路、電圧設定値と電圧出力計測値とを入力に受けて両入力を比較算出する電圧比較出力信号回路、前記電流比較出力信号回路から出力される電流出力信号と前記電圧比較出力信号回路から出力される電圧出力信号とを入力に受けて、電圧出力信号が０より大きいときは電圧出力信号を、そうでないときは電流出力信号を選択して選択出力信号を出力する出力信号比較選択回路、ならびに、この出力信号比較選択回路から出力される選択出力信号により出力増減を制御してパワー出力するパワー出力回路を有する第１の回路と、
電流設定値と電流出力計測値とを入力に受けて両入力を比較算出する電流比較出力信号回路、電圧設定値と電圧出力計測値とを入力に受けて両入力を比較算出する電圧比較出力信号回路と、前記電流比較出力信号回路から出力される電流出力信号と前記電圧比較出力信号回路から出力される電圧出力信号とを入力に受けて、電圧出力信号が０より大きいときは電圧出力信号を、そうでないときは電流出力信号を選択して選択出力信号を出力する出力信号比較選択回路、ならびに、この出力信号比較選択回路から出力される選択出力信号により出力増減を制御してパワー出力するパワー出力回路を有する第２の回路と、
を備えた定電圧電源装置において、
前記第１の回路の前記出力信号比較選択回路と第１の回路の前記パワー出力回路との間に第２の出力信号比較選択回路を介設するとともに、前記第２の回路の前記出力信号比較選択回路と第２の回路の前記パワー出力回路との間に第２の出力信号比較選択回路を介設し、
前記第１の回路の前記出力信号比較選択回路から出力される選択出力信号を、第１の回路の前記第２の出力信号比較選択回路および前記第２の回路の前記第２の出力信号比較選択回路にそれぞれ入力するとともに、前記第２の回路の前記出力信号選択回路から出力される選択出力信号を、第２の回路の前記第２の出力信号比較選択回路および前記第１の回路の前記第２の出力信号比較選択回路にそれぞれ入力して、前記第１の回路の前記第２の出力信号比較選択回路から第１の回路の前記パワー出力回路へ、第１の回路の出力信号比較選択回路からの選択出力信号および前記第２の回路の前記出力信号比較選択回路からの選択出力信号のうちのいずれか小さい方の選択出力信号を選択して第２の選択出力信号を出力するとともに、前記第２の回路の前記第２の出力信号比較選択回路から第２の回路の前記パワー出力回路へ、前記第１の回路の前記出力信号比較選択回路からの選択出力信号および第２の回路の出力信号比較選択回路からの選択出力信号のうちのいずれか小さい方の選択出力信号を選択して第２の選択出力信号を出力し得るようにしたことを特徴とする定電圧電源装置。
【発明の詳細な説明】
【技術分野】
【０００１】
この発明は、出力電圧を一定にする定電圧電源装置、特に、第１および第２の回路（コンバータ）が並設された構成を有する定電圧電源装置に関する。
【背景技術】
【０００２】
近年、定電圧電源装置の一般的なものとして、図６に示すように、電流設定値Ｉｓｅｔａと電流計測器ＩＭａによる電流出力計測値Ｉａとを入力に受けて両入力を比較算出する電流比較出力信号回路Ｉｃａと、電圧設定値Ｖｓｅｔａと電圧計測器ＶＭａによる電圧出力計測値Ｖａとを入力に受けて両入力を比較算出する電圧比較出力信号回路Ｖｃａと、電流比較出力信号回路Ｉｃａから出力される電流出力信号Ｉａ１と電圧比較出力信号回路Ｖｃａから出力される電圧出力信号Ｖａ１とを入力に受けて、電圧出力信号Ｖａ１および電流出力信号Ｉａ１のうちのいずれかを選択して出力する出力信号比較選択回路Ｃａ１と、この出力信号比較選択回路Ｃａ１から出力される選択出力信号Ｐａ１を受けてパワー出力するパワー出力回路ＰＷＭａとからなる第１の回路、ならびに、第１の回路と同様の構成を有する第２の回路から構成され、第１の回路および第２の回路の各出力が共通接続された定電圧電源装置が知られている（例えば、特許文献１参照。）。
【先行技術文献】
【特許文献】
【０００３】
【特許文献１】特開平７−２１９６５１号公報
【発明の概要】
【発明が解決しようとする課題】
【０００４】
上記した従来の定電圧電源装置のように、第１の回路（コンバータＡ）と第２の回路（コンバータＢ）とを並列に接続した場合には、
１）電圧の低い状態では、コンバータＡおよびコンバータＢはそれぞれ定電流（ＣＣ）制御を行う。
２）電圧が上昇し、コンバータＡおよびコンバータＢがそれぞれ定電圧（ＣＶ）制御を行うようになると、コンバータＡ、Ｂの個体差があるために定電圧制御が正常に実施されない。
３）電圧設定値をＶｓｅｔａ＝Ｖｓｅｔｂとして稼動させた場合において、電圧出力計測値がＶａ＞Ｖｂである場合を考えると、
（ｉ）コンバータＡはコンバータＢより早く定電圧制御になる。
（ii）コンバータＡは、この時点で定電圧制御であるため負荷に電流を多く流し、電圧を上昇させる。
（iii）電圧が上昇し、コンバータＢも定電圧制御に移行する。
（iv）この状態で、コンバータＡは定電圧制御を行っているが、コンバータＡのパワー出力回路ＰＷＭａは電圧の差分、すなわち〔Ｖａ―Ｖｂ〕の分だけ常に出力が減少し、次第に出力は０になる。
といった、問題点がある。
【０００５】
この発明は、上記問題点に着目してなされたものであって、従来のような出力低下が起こらず、正常に稼動する定電圧電源装置を提供することを目的とする。
【課題を解決するための手段】
【０００６】
この発明は、上記目的を達成するために定電圧電源装置を以下のように構成した。理解し易くするために、後述する図１で使用する符号を構成要素に付して説明すると、この発明に係る定電圧電源装置は、第１の回路および第２の回路を備え、第１の回路および第２の回路がそれぞれ、電流設定値Ｉｓｅｔａ、Ｉｓｅｔｂと電流出力計測値Ｉａ、Ｉｂとを入力に受けて両入力を比較算出する電流比較出力信号回路Ｉｃａ、Ｉｃｂと、電圧設定値Ｖｓｅｔａ、Ｖｓｅｔｂと電圧出力計測値Ｖａ、Ｖｂとを入力に受けて両入力を比較算出する電圧比較出力信号回路Ｖｃａ、Ｖｃｂと、前記電流比較出力信号回路Ｉｃａ、Ｉｃｂから出力される電流出力信号Ｉａ１、Ｉｂ１と前記電圧比較出力信号回路Ｖｃａ、Ｖｃｂから出力される電圧出力信号Ｖａ１、Ｖｂ１とを入力に受けて、電圧出力信号Ｖａ１、Ｖｂ１が０より大きいときは電圧出力信号Ｖａ１、Ｖｂ１を、そうでないときは電流出力信号Ｉａ１、Ｉｂ１を選択して選択出力信号Ｐａ１、Ｐｂ１を出力する出力信号比較選択回路Ｃａ１、Ｃｂ１と、この出力信号比較選択回路Ｃａ１、Ｃｂ１から出力される選択出力信号Ｐａ１、Ｐｂ１により出力増減を制御してパワー出力するパワー出力回路ＰＷＭａ、ＰＷＭｂとを有して構成された定電圧電源装置において、前記第１の回路および前記第２の回路の各出力信号比較選択回路Ｃａ１、Ｃｂ１と各パワー出力回路ＰＷＭａ、ＰＷＭｂとの間にそれぞれ第２の出力信号比較選択回路Ｃａ２、Ｃｂ２を介設し、前記第１の回路の出力信号比較選択回路Ｃａ１から出力される選択出力信号Ｐａ１、および、前記第２の回路の出力信号選択回路Ｃｂ１から出力される選択出力信号Ｐｂ１を、第１の回路の第２の出力信号比較選択回路Ｃａ２および第２の回路の第２の出力信号比較選択回路Ｃｂ２にそれぞれ入力して、前記第１の回路の第２の出力信号比較選択回路Ｃａ２からパワー出力回路ＰＷＭａへ、第１の回路の出力信号比較選択回路Ｃａ１からの選択出力信号Ｐａ１および前記第２の回路の出力信号比較選択回路Ｃｂ１からの選択出力信号Ｐｂ１のうちのいずれか小さい方の選択出力信号を選択して第２の選択出力信号Ｐａ２を出力するとともに、前記第２の回路の第２の出力信号比較選択回路Ｃｂ２からパワー出力回路ＰＷＭｂへ、前記第１の回路の出力信号比較選択回路Ｃａ１からの選択出力信号Ｐａ１および第２の回路の出力信号比較選択回路Ｃｂ１からの選択出力信号Ｐｂ１のうちのいずれか小さい方の選択出力信号を選択して第２の選択出力信号Ｐｂ２を出力し得るようにしたことを特徴として構成されている。
【発明の効果】
【０００７】
上記構成を有する本発明に係る定電圧電源装置においては、第１の回路の出力信号比較選択回路Ｃａ１とパワー出力回路ＰＷＭａとの間に第２の出力信号比較選択回路Ｃａ２が介挿して設けられ、また、第２の回路の出力信号比較選択回路Ｃｂ１とパワー出力回路ＰＷＭｂとの間に第２の出力信号比較選択回路Ｃｂ２が介挿して設けられており、第１の回路および第２の回路の各第２の出力信号比較選択回路Ｃａ２、Ｃｂ２ではそれぞれ、第１の回路の出力信号比較選択回路Ｃａ１から出力された選択出力信号Ｐａ１と第２の回路の出力信号比較選択回路Ｃｂ１から出力された選択出力信号Ｐｂ１とが比較され、両選択出力信号Ｐａ１、Ｐｂ１のうちの小さい方の信号が選択されて、第２の選択出力信号Ｐａ２、Ｐｂ２が第２の出力信号比較選択回路Ｃａ２、Ｃｂ２からパワー出力回路ＰＷＭａ、ＰＷＭｂへ出力される。したがって、例えば第１の回路の電圧出力計測値Ｖａ＞第２の回路の電圧出力計測値Ｖｂである場合、第１の回路の選択出力信号値Ｐａ１＞第２の回路の選択出力信号値Ｐｂ１となり、第２の回路にあっては、第２の出力信号比較選択回路Ｃｂ２からパワー出力回路ＰＷＭｂへ選択出力信号Ｐｂ１が第２の選択出力信号Ｐｂ２として出力されることになるので、従来の制御と同等の制御が行われる。一方、第１の回路にあっては、第１の回路の第２の選択出力信号値Ｐａ２＝第２の回路の選択出力信号値Ｐｂ１となり、第２の出力信号比較選択回路Ｃａ２からパワー出力回路ＰＷＭａへ第２の回路の選択出力信号Ｐｂ１が第２の選択出力信号Ｐａ２として出力されることになって、定電圧制御が行われることとなる。このように、第１の回路および第２の回路のいずれにおいても、常に、第２の出力信号比較選択回路Ｃａ２、Ｃｂ２からパワー出力回路ＰＷＭａ、ＰＷＭｂへ出力される第２の選択出力信号Ｐａ２、Ｐｂ２として、第１の回路の選択出力信号Ｐａ１および第２の回路の選択出力信号Ｐｂ１のうちのいずれか小さい方の信号が選択され、その第２の選択出力信号Ｐａ２、Ｐｂ２により出力増減が制御されて、出力Ｉａ・Ｖａ、Ｉｂ・Ｖｂが調整される。
したがって、この発明に係る定電圧電源装置は、従来のような出力低下が起こらず、正常に稼動することができる。
【図面の簡単な説明】
【０００８】
【図１】この発明の１実施形態を示す定電圧電源装置のブロック構成図である。
【図２】図１に示した定電圧電源装置の第１の回路における動作の一部を説明するためのフロー図である。
【図３】同じく定電圧電源装置の第２の回路における動作の一部を説明するためのフロー図である。
【図４】同じく定電圧電源装置の第１の回路における動作の一部を説明するためのフロー図である。
【図５】同じく定電圧電源装置の第２の回路における動作の一部を説明するためのフロー図である。
【図６】従来の定電圧電源装置の１例を示すブロック構成図である。
【発明を実施するための形態】
【０００９】
以下、実施形態により、この発明をさらに詳細に説明する。図１は、この発明の１実施形態に係る定電圧電源装置の概略構成を示す回路ブロック図である。
【００１０】
図１に示すように、この定電圧電源装置は、第１の回路（コンバータＡ）と第２の回路（コンバータＢ）とにより並列給電するような構成となっている。コンバータＡは、電流計測器ＩＭａによる電流出力計測値Ｉａと電流設定値Ｉｓｅｔａとを比較する電流比較出力信号回路Ｉｃａ、電圧計測器ＶＭａによる電圧出力計測値Ｖａと電圧設定値Ｖｓｅｔａとを比較する電圧比較出力信号回路Ｖｃａ、電流出力信号Ｉａ１および電圧出力信号Ｖａ１を入力に受けて選択出力信号Ｐａ１を出力する出力信号比較選択回路Ｃａ１、選択出力信号Ｐａ１および下記のコンバータＢの出力信号比較選択回路Ｃｂ１から出力される選択出力信号Ｐｂ１を受けて、第２の選択出力信号Ｐａ２を出力する第２の出力信号比較選択回路Ｃａ２、ならびに、第２の出力信号比較選択回路Ｃａ２から出力される第２の選択出力信号Ｐａ２を受けてパワー出力するＰＷＭ（パルス幅変調）タイプパワー出力回路ＰＷＭａから構成されている。出力信号比較選択回路Ｃａ１は、電圧出力信号Ｖａ１が０より大きいか否かにより電圧出力信号Ｖａ１および電流出力信号Ｉａ１のうちのいずれかを選択して、すなわち後記するように、電圧出力信号Ｖａ１が０より大きい（Ｖａ１＞０）ときは電圧出力信号Ｖａ１を選択し、そうでない（Ｖａ１≦０）ときは電流出力信号Ｉａ１を選択して、その選択出力信号Ｐａ１（＝Ｖａ１またはＩａ１）を出力する。また、第２の出力信号比較選択回路Ｃａ２は、コンバータＡの出力信号比較選択回路Ｃａ１からの選択出力信号Ｐａ１がコンバータＢの出力信号比較選択回路Ｃｂ１からの選択出力信号Ｐｂ１より小さいか否かにより選択出力信号Ｐａ１および選択出力信号Ｐｂ１のうちのいずれかを選択して、すなわち後記するように、選択出力信号Ｐａ１が選択出力信号Ｐｂ１より小さい（Ｐａ１＜Ｐｂ１）ときは選択出力信号Ｐａ１を選択し、そうでない（Ｐａ１≧Ｐｂ１）ときは選択出力信号Ｐｂ１を選択して（換言すれば選択出力信号Ｐａ１、Ｐｂ１のうちの小さい値の方を選択して）、第２の選択出力信号Ｐａ２（＝Ｐａ１またはＰｂ１）を出力する。
【００１１】
また、コンバータＢは、上記コンバータＡと同様に、電流計測器ＩＭｂによる電流出力計測値Ｉｂと電流設定値Ｉｓｅｔｂとを比較する電流比較出力信号回路Ｉｃｂ、電圧計測器ＶＭｂによる電圧出力計測値Ｖｂと電圧設定値Ｖｓｅｔｂとを比較する電圧比較出力信号回路Ｖｃｂ、電流出力信号Ｉｂ１および電圧出力信号Ｖｂ１を入力に受けて選択出力信号Ｐｂ１を出力する出力信号比較選択回路Ｃｂ１、選択出力信号Ｐｂ１および上記のコンバータＡの出力信号比較選択回路Ｃａ１から出力される選択出力信号Ｐａ１を受けて、第２の選択出力信号Ｐｂ２を出力する第２の出力信号比較選択回路Ｃｂ２、ならびに、第２の出力信号比較選択回路Ｃｂ２から出力される第２の選択出力信号Ｐｂ２を受けてパワー出力するＰＷＭタイプパワー出力回路ＰＷＭｂから構成されている。出力信号比較選択回路Ｃｂ１は、電圧出力信号Ｖｂ１が０より大きいか否かにより電圧出力信号Ｖｂ１および電流出力信号Ｉｂ１のうちのいずれかを選択して、すなわち後記するように、電圧出力信号Ｖｂ１が０より大きい（Ｖｂ１＞０）ときは電圧出力信号Ｖｂ１を選択し、そうでない（Ｖｂ１≦０）ときは電流出力信号Ｉｂ１を選択して、その選択出力信号Ｐｂ１（＝Ｖｂ１またはＩｂ１）を出力する。また、第２の出力信号比較選択回路Ｃｂ２は、コンバータＡの出力信号比較選択回路Ｃａ１からの選択出力信号Ｐａ１がコンバータＢの出力信号比較選択回路Ｃｂ１からの選択出力信号Ｐｂ１より小さいか否かにより選択出力信号Ｐａ１および選択出力信号Ｐｂ１のうちのいずれかを選択して、すなわち後記するように、選択出力信号Ｐａ１が選択出力信号Ｐｂ１より小さい（Ｐａ１＜Ｐｂ１）ときは選択出力信号Ｐａ１を選択し、そうでない（Ｐａ１≧Ｐｂ１）ときは選択出力信号Ｐｂ１を選択して（換言すれば選択出力信号Ｐａ１、Ｐｂ１のうちの小さい値の方を選択して）、第２の選択出力信号Ｐｂ２（＝Ｐａ１またはＰｂ１）を出力する。
【００１２】
次に、上記したように回路構成された定電圧電源装置における処理動作について、図２および図４に示すコンバータＡのフロー図、ならびに、図３および図５に示すコンバータＢのフロー図を参照して説明する。
【００１３】
処理が開始されると、まずステップＳＴ１ａにおいて、コンバータＡの電流値（電流設定値）Ｉｓｅｔａが設定され、同様に、ステップＳＴ１ｂにおいて、コンバータＢの電流値（電流設定値）Ｉｓｅｔｂが設定される。また、ステップＳＴ２ａにおいて、コンバータＡの電圧値（電圧設定値）Ｖｓｅｔａが設定され、同様に、ステップＳＴ２ｂにおいて、コンバータＢの電圧値（電圧設定値）Ｖｓｅｔｂが設定される。
【００１４】
次に、ステップＳＴ３ａにおいて、コンバータＡの電流計測器ＩＭａにより出力電流値（電流出力計測値）Ｉａが計測され、同様に、スッテップＳＴ３ｂにおいて、コンバータＢの電流計測器ＩＭｂにより出力電流値（電流出力計測値）Ｉｂが計測される。また、ステップＳＴ４ａにおいて、コンバータＡの電圧計測器ＶＭａにより出力電圧値（電圧出力計測値）Ｖａが計測され、同様に、ステップＳＴ４ｂにおいて、コンバータＢの電圧計測器ＶＭｂにより出力電圧値（電圧出力計測値）Ｖｂが計測される。
【００１５】
次に、ステップＳＴ５ａ、ＳＴ５ｂへ移行し、コンバータＡの電流比較出力信号回路Ｉｃａにおいて出力電流値Ｉａと電流設定値Ｉｓｅｔａとが比較され、電流出力信号Ｉａ１＝Ｉｓｅｔａ―Ｉａが計算され、同様に、コンバータＢの電流比較出力信号回路Ｉｃｂにおいて出力電流値Ｉｂと電流設定値Ｉｓｅｔｂとが比較され、電流出力信号Ｉｂ１＝Ｉｓｅｔｂ−Ｉｂが計算される。また、ステップＳＴ６ａ、ＳＴ６ｂへ移行し、コンバータＡの電圧比較出力信号回路Ｖｃａにおいて出力電圧値Ｖａと電圧設定値Ｖｓｅｔａとが比較され、電圧出力信号Ｖａ１＝Ｖｓｅｔａ―Ｖａが計算され、同様に、コンバータＢの電圧比較出力信号回路Ｖｃｂにおいて出力電圧値Ｖｂと電圧設定値Ｉｓｅｔｂとが比較され、電圧出力信号Ｖｂ１＝Ｖｓｅｔｂ−Ｖｂが計算される。
【００１６】
続いて、ステップＳＴ７ａ、ＳＴ７ｂへ移行し、コンバータＡの出力信号比較選択回路Ｃａ１において、電圧出力信号Ｖａ１が０より大きいか否かが判定される。そして、電圧出力信号Ｖａ１が０か０より小さい（Ｖａ１≦０）ときはステップＳＴ８ａへ移行し、出力信号比較選択回路Ｃａ１の出力Ｐａ１として電流出力信号Ｉａ１を選択し、電流出力信号Ｉａ１を選択出力信号Ｐａ１とする（Ｐａ１＝Ｉａ１）。一方、電圧出力信号Ｖａ１が０より大きい（Ｖａ１＞０）ときはステップＳＴ９ａへ移行し、出力信号比較選択回路Ｃａ１の出力Ｐａ１として電圧出力信号Ｖａ１を選択し、電圧出力信号Ｖａ１を選択出力信号Ｐａ１とする（Ｐａ１＝Ｖａ１）。
【００１７】
上記と同様に、コンバータＢの出力信号比較選択回路Ｃｂ１において、電圧出力信号Ｖｂ１が０より大きいか否かが判定される（ステップＳＴ７ｂ）。そして、電圧出力信号Ｖｂ１が０か０より小さい（Ｖｂ１≦０）ときはステップＳＴ８ｂへ移行し、出力信号比較選択回路Ｃｂ１の出力Ｐｂ１として電流出力信号Ｉｂ１を選択し、電流出力信号Ｉｂ１を選択出力信号Ｐｂ１とする（Ｐｂ１＝Ｉｂ１）。一方、電圧出力信号Ｖｂ１が０より大きい（Ｖｂ１＞０）ときはステップＳＴ９ｂへ移行し、出力信号比較選択回路Ｃｂ１の出力Ｐｂ１として電圧出力信号Ｖｂ１を選択し、電圧出力信号Ｖｂ１を選択出力信号Ｐｂ１とする（Ｐｂ１＝Ｖｂ１）。
【００１８】
次に、ステップＳＴ１０ａ、ＳＴ１０ｂへ移行し、コンバータＡの第２の出力信号比較選択回路Ｃａ２において、出力信号比較選択回路Ｃａ１からの選択出力信号Ｐａ１がコンバータＢの出力信号比較選択回路Ｃｂ１からの選択出力信号Ｐｂ１より小さいか否かが判定される。そして、選択出力信号Ｐａ１が選択出力信号Ｐｂ１と等しいかＰｂ１より大きい（選択出力信号Ｐｂ１が選択出力信号Ｐａ１と等しいかＰａ１より小さい）（Ｐａ１≧Ｐｂ１）ときはステップＳＴ１１ａへ移行し、第２の出力信号比較選択回路Ｃａ２の出力Ｐａ２として選択出力信号Ｐｂ１を選択し、選択出力信号Ｐｂ１を第２の選択出力信号Ｐａ２とする（Ｐａ２＝Ｐｂ１）。一方、選択出力信号Ｐａ１が選択出力信号Ｐｂ１より小さい（Ｐａ１＜Ｐｂ１）ときはステップＳＴ１２ａへ移行し、第２の出力信号比較選択回路Ｃａ２の出力Ｐａ２として選択出力信号Ｐａ１を選択し、選択出力信号Ｐａ１を第２の選択出力信号Ｐａ２とする（Ｐａ２＝Ｐａ１）。
【００１９】
上記と同様に、コンバータＢの第２の出力信号比較選択回路Ｃｂ２において、コンバータＡの出力信号比較選択回路Ｃａ１からの選択出力信号Ｐａ１が出力信号比較選択回路Ｃｂ１からの選択出力信号Ｐｂ１より小さいか否かが判定される（ステップＳＴ１０ｂ）。そして、選択出力信号Ｐａ１が選択出力信号Ｐｂ１と等しいかＰｂ１より大きい（選択出力信号Ｐｂ１が選択出力信号Ｐａ１と等しいかＰａ１より小さい）（Ｐａ１≧Ｐｂ１）ときはステップＳＴ１１ｂへ移行し、第２の出力信号比較選択回路Ｃｂ２の出力Ｐｂ２として選択出力信号Ｐｂ１を選択し、選択出力信号Ｐｂ１を第２の選択出力信号Ｐｂ２とする（Ｐｂ２＝Ｐｂ１）。一方、選択出力信号Ｐａ１が選択出力信号Ｐｂ１より小さい（Ｐａ１＜Ｐｂ１）ときはステップＳＴ１２ｂへ移行し、第２の出力信号比較選択回路Ｃｂ２の出力Ｐｂ２として選択出力信号Ｐａ１を選択し、選択出力信号Ｐａ１を第２の選択出力信号Ｐｂ２とする（Ｐｂ２＝Ｐａ１）。
【００２０】
ステップＳＴ１１ａおよびステップＳＴ１２ａの処理に続いてステップＳＴ１３ａへ移行する。そして、ＰＷＭタイプパワー出力回路ＰＷＭａにおいて、第２の出力信号比較選択回路Ｃａ２から出力された第２の選択出力信号Ｐａ２を、設定値との差分Ｐａ２として出力Ｉａ、Ｖａの増減が制御され、コンバータＡから出力する。この場合において、差分Ｐａ２の値が正であるときは出力を増大し、差分Ｐａ２の値が負であるときは出力を減少する。また、ステップＳＴ１１ｂおよびステップＳＴ１２ｂの処理に続いてステップＳＴ１３ｂへ移行する。そして、ＰＷＭタイプパワー出力回路ＰＷＭｂにおいて、第２の出力信号比較選択回路Ｃｂ２から出力された第２の選択出力信号Ｐｂ２を、設定値との差分Ｐｂ２として出力Ｉｂ、Ｖｂの増減が制御され、コンバータＢから出力する。この場合において、差分Ｐｂ２の値が正であるときは出力を増大し、差分Ｐｂ２の値が負であるときは出力を減少する。そして、以上のステップＳＴ３ａ〜ＳＴ１３ａ、ステップＳＴ３ｂ〜ＳＴ１３ｂの動作を繰り返し行う。
【符号の説明】
【００２１】
ＩＭａ、ＩＭｂ  電流計測器
ＶＭａ、ＶＭｂ  電圧計測器
Ｉｃａ、Ｉｃｂ  電流比較出力信号回路
Ｖｃａ、Ｖｃｂ  電圧比較出力信号回路
Ｃａ１、Ｃｂ１  出力信号比較選択回路
Ｃａ２、Ｃｂ２  第２の出力信号比較選択回路
ＰＷＭａ、ＰＷＭｂ  ＰＷＭタイプパワー出力回路
【図１】
2019146336.tif 000003
【図２】
2019146336.tif 000004
【図３】
2019146336.tif 000005
【図４】
2019146336.tif 000006
【図５】
2019146336.tif 000007
【図６】
2019146336.tif 000008